(57)【要約】【課題】  把手部材と筐体との係合状態を十分に確保するとともに、把手部材を筐体に係止させた後には、把手部材の横方向への移動を阻止することができる載置型ユニットを提供する。【解決手段】  鋼鈑製の筐体に開口５５を形成し、開口５５に樹脂製の把手部材７１を嵌合させて取り付ける構成の載置型ユニット１である。そして、開口の周辺に複数の横長の係止孔５７，５９を設け、把手部材７１には、係止孔５７，５９に横方向へ移動可能に嵌合する係止部７７，７９を設け、係止孔５７，５９には、把手部材７１の係止部７７，７９を係止孔５７，５９一端側から他端側へ移動させることによってその係止部７７，７９が係合する係止片５７Ｃ，５９Ｃを設け、把手部材７１及び開口５５の周辺には、把手部材の係止部を係止片に係合させた状態で把手部材の横方向への移動を阻止する移動阻止手段６１，８１を設けた構成である。【選択図】      図５
2004245408.tif 000002
【特許請求の範囲】
【請求項１】
鋼板製の筐体に開口を形成し、この開口に樹脂製の把手部材を嵌合させて取り付ける構成の載置型ユニットにおいて、
前記開口の周辺に複数の横長の係止孔を設け、
前記把手部材には、前記係止孔に横方向へ移動可能に嵌合する係止部を設け、
前記係止孔には、前記把手部材の係止部を前記係止孔の一端側から他端側へ移動させることによってその係止部が係合する係止片を設け、
前記把手部材及び前記開口の周辺には、前記把手部材の係止部を前記係止片に係合させた状態で前記把手部材の横方向への移動を阻止する移動阻止手段を設けたことを特徴とする載置型ユニット。
【請求項２】
前記移動阻止手段は、前記把手部材に設けた突起と、前記開口の周辺に設けられて前記突起が係合する孔とで構成されていることを特徴とする請求項１に記載の載置型ユニット。
【請求項３】
前記鋼鈑製の筐体は、圧縮機、室外熱交換器及び室外送風機が内部に収容された空気調和機の室外ユニットであることを特徴とする請求項１又は２に記載の設置型ユニット。
【発明の詳細な説明】
【技術分野】
【０００１】
本発明は、筐体に樹脂製の把手部材を備えた空気調和機の室外ユニット等の載置型ユニットに関する。
【背景技術】
【０００２】
一般に、この種の載置型ユニットとして、圧縮機、室外熱交換器及び室外送風機等を収納した鋼板製の筐体の側板に開口を形成し、この開口に樹脂製の把手部材を嵌合させ構成の載置型ユニットが知られている（例えば、特許文献１参照）。
【０００３】
この種のものでは、樹脂製の把手部材を筐体の側板に固定する手段が必要となる。ここで、一例をあげれば、図７に示すように、鋼板製の筐体１００に開口１０１を形成し、この開口１０１の周辺に係止孔１０１Ａ，１０１Ｂを形成し、上の係止孔１０１Ａに樹脂製の把手部材１０２の上係止部１０２Ａを係合させた後、この把手部材１０２を矢印方向に回転させて、把手部材１０２の下係止部１０２Ｂを下の係止孔１０１Ｂに押し込むようにして係止させ、こうして開口１０１に把手部材１０２を取り付けている。
【特許文献１】特開２００１−２０８３７７号公報
【発明の開示】
【発明が解決しようとする課題】
【０００４】
しかしながら、上記した従来構成のものでは、把手部材１０２の下係止部１０２Ｂを下の係止孔１０１Ｂに押し込むようにして係止させて、開口１０１に把手部材１０２を取り付ける構成であるため、どうしても下係止部１０２Ｂの引っ掛け部Ａが小さくなり、その分だけ引っかかりが少なくなって、把手部材１０２の係合状態が不十分になる難点があった。
【０００５】
そこで、本発明の目的は、上述した従来の技術が有する課題を解消し、把手部材と筐体との係合状態を十分に確保するとともに、把手部材を筐体に係止させた後には、把手部材の横方向への移動を阻止することができる載置型ユニットを提供することにある。
【課題を解決するための手段】
【０００６】
請求項１に記載の発明は、鋼板製の筐体に開口を形成し、この開口に樹脂製の把手部材を嵌合させて取り付ける構成の載置型ユニットにおいて、前記開口の周辺に複数の横長の係止孔を設け、前記把手部材には、前記係止孔に横方向へ移動可能に嵌合する係止部を設け、前記係止孔には、前記把手部材の係止部を前記係止孔の一端側から他端側へ移動させることによってその係止部が係合する係止片を設け、前記把手部材及び前記開口の周辺には、前記把手部材の係止部を前記係止片に係合させた状態で前記把手部材の横方向への移動を阻止する移動阻止手段を設けたことを特徴とする。
【０００７】
請求項２に記載の発明は、請求項１に記載の載置型ユニットにおいて、前記移動阻止手段は、前記把手部材に設けた突起と、前記開口の周辺に設けられて前記突起が係合する孔とで構成されていることを特徴とする。
【０００８】
請求項３に記載の発明は、請求項１又は２に記載の載置型ユニットにおいて、前記鋼鈑製の筐体は、圧縮機、室外熱交換器及び室外送風機が内部に収容された空気調和機の室外ユニットであることを特徴とする。
【発明の効果】
【０００９】
本発明の載置型ユニットにおいては、把手部材と筐体との係合状態を十分に確保することができると共に、把手部材を筐体に取り付けた後には、把手部材の横方向への移動が確実に阻止されるため、筐体に対する把手部材の強固な取り付けが可能となる。
【実施例１】
【００１０】
以下、本発明の一実施例を図面に基づいて説明すると、図１において、１は空気調和機の室外ユニットであり、この室外ユニット１は、鋼板製の底板３の上に、同じく鋼板製の仕切り板５が立設されて、この仕切り板５の両側に熱交換室Ａ及び機械室Ｂを備えて構成されている。
【００１１】
前記機械室Ｂには、冷凍サイクルの一部を構成する圧縮機７、アキュームレータ９、冷媒配管１１が配置されると共に、電装箱１３等が配置され、また、熱交換室Ａには室外熱交換器１５、室外送風機１７等が設置されている。
【００１２】
前記熱交換室Ａ及び機械室Ｂは、両サイドが一対の鋼板製の側板２１で覆われ、底部が底板３で覆われ、上部が鋼板製の天板２３で覆われ、前部が同じく鋼板製の前板２５で覆われている。この前板２５と天板２３とは略Ｌ字状に形成されて一体成型されたものである。そして、熱交換室Ａ及び機械室Ｂの背面側は開放され、この開放された背面側には室外熱交換器１５が配置されている。そして、前記底板３、左右の側板２１，２１、天板２３、前板２５などで前記熱交換室Ａ及び機械室Ｂを囲う筐体１００を構成している。
【００１３】
前記左右の側板２１には、室外ユニット１を持ち上げたり、持ち運ぶ際に把手となる把手部材７１が取り付けられている。本発明では、特に、図中、左側の側板２１に対する把手部材７１の取り付け構造に特徴を有するものである。
【００１４】
前記した左側の側板２１は、図２（Ａ）に示すように、上部略中央部分に外向きに突出させて設けた横長矩形の座部５１と、略全面に設けた多数の外気吸入口５３とを備えて構成されている。
【００１５】
前記座部５１には、この座部５１の略中央に設けられた横長矩形状の開口５５と、この開口５５の上の周辺に設けられた複数（実施例では３個）の横長状の上係止孔５７と、開口５５の下の周辺に設けられた複数（実施例では３個）の横長状の下係止孔５９と、開口５５の右の周辺に設けた複数（実施例では２個）の右係止孔６１とを備えている。
【００１６】
前記複数の上係止孔５７は、図中でそれぞれ右側に位置する高さの高い領域５７Ａと、図中でそれぞれ左側に位置する高さの低い領域５７Ｂとを有して構成され、かつ、左側の高さの低い領域５７Ｂの図中で上端の部分には、それぞれ上係止片５７Ｃが形成されている。また、それと同様に、前記複数の下係止孔５９は、図中でそれぞれ右側に位置する高さの高い領域５９Ａと、図中で左側に位置する高さの低い領域５９Ｂとを有して構成され、かつ、左側の高さの低い領域５９Ｂの図中で下端の部分には、それぞれ下係止片５９Ｃが形成されている。
【００１７】
前記座部５１には、把手部材７１が取り付けられる。この把手部材７１は、合成樹脂によって一体成型されており、図２（Ｂ）及び図３に示すように、平面部７３を有するとともに、この把手部材７１の表面７３Ａ側には手掛け部７５が形成されている。前記手掛け部７５は、図中で上部が側方へ大きく延出し、手指が掛け易くなっている。
【００１８】
前記把手部材７１の裏面７３Ｂ側には、図３及び図４に示すように、複数の上係止部７７と、複数の下係止部７９と、複数の突起（移動阻止手段）８１と、リブ部８３Ａ，８３Ｂとが設けられている。前記上係止部７７は、図３に示すように、略Ｌ字状に形成され、把手部材７１の裏面７３Ｂから、図中で上向きに延出している。
【００１９】
また、図３に示すように、前記上係止部７７は、その上係止部７７の係止面７７Ａと把手部材７１の裏面７３Ｂとで、上係止片５７Ｃを挟みこむことによって係合する。同様に、前記下係止部７９は、略Ｌ字状に形成され、把手部材７１の裏面７３Ｂから、図中で下向きに延出している。そして、この下係止部７９は、下係止部７９の係止面７９Ａと把手部材７１の裏面７３Ｂとで、下係止片５９Ｃを挟みこむことによって係合する。
【００２０】
前記下係止部７９は前記した従来構成品よりも大きく形成されており、前記下係止孔５９の下係止片５９Ｃとの係合状態を十分に確保している。前記突起８１は、図４に示すように、円柱状を呈しており、前記把手部材７１の裏面７３Ｂから垂直に延出されている。そして、前記突起８１は、座部５１に設けられた孔としての右係止孔（移動阻止手段）６１と係合するものであり、この右係止孔６１が円形孔であれば、突起８１を円柱状と成し、前記右係止孔６１が四角孔であれば、突起８１を四角柱状とするなど、右係止孔６１の形状に合わせて、突起８１の形状を変更することが可能である。
【００２１】
前記上係止部７７及び下係止部７９は、図５に示すように、把手部材７１を座部５１に取り付ける際に、前記上係止孔５７及び下係止孔５９と対応する位置に設けられている。
【００２２】
前記突起８１は、図５の矢印Ａで示すように、把手部材７１を左に移動させた際に、前記右係止孔６１と相対する位置に設けられている。また、前記把手部材７１の裏面７３の左右には、それぞれリブ部８３Ａ，８３Ｂが設けられ、図５の矢印Ａで示すように、これらリブ部８３Ａ，８３Ｂのうち、一方のリブ部８３Ａは、前記把手部材７１を左に移動させた際に、開口５５の図中で右縁５５Ａに接する位置に設けられ、かつ、他方のリブ部８３Ｂは、開口５５の図中で左縁５５Ｂに接する位置に設けられている。
【００２３】
前記把手部材７１を座部５１に取り付ける場合には、図６に示すように、先ず、前記上係止部７７を上係止孔５７の領域５７Ａに嵌めると共に、前記下係止部７９を下係止孔５９の領域５９Ａに嵌める。この時、突起８１は座部５１の図中で右の外側にあり、また、一方のリブ部８３Ａは座部５１の表面５１Ａに当接し、他方のリブ部８３Ｂは上記開口５５の内側にある。この位置関係によると、把手部材７１を座部５１にあてがっただけでは、リブ部８３Ａが座部５１の表面５１Ａに当接しているため、把手部材７１の裏面７３Ｂは、図中で右側が座部５１の表面５１Ａから浮いた状態となり、前記上係止部７７及び下係止部７９と上係止片５７Ｃ及び下係止片５９Ｃとは、同一面上に位置して、前記把手部材７１を移動させることができない。
【００２４】
そして、図５の矢印Ａで示すように、前記把手部材７１を左に移動させる場合には、把手部材７１を座部５１に押し付けながら移動させる。すると、前記上係止片５７Ｃが、前記上係止部７７の係止面７７Ａ（図３参照）と把手部材７１の裏面７３Ｂとの間に嵌入され、前記上係止部７７は、上係止片５７Ｃの拘束を受けない領域５７Ａから、上係止孔５７の領域５７Ｂへと移動し、そして、前記上係止部７７は、上係止部７７の係止面７７Ａ（図３参照）と把手部材７１の裏面７３Ｂとで前記上係止片５７Ｃを挟みこむことにより、その上係止片５７Ｃと係合する。
【００２５】
上記と同様に、把手部材７１を座部５１に押し付けるように移動させると、下係止片５９Ｃが下係止部７９の係止面７９Ａ（図３参照）と把手部材７１の裏面７３Ｂとの間に嵌入され、下係止部７９が下係止片５９Ｃの拘束を受けない領域５９Ａから、下係止孔５９の領域５９Ｂへと移動し、そして、下係止部７９は、下係止部７９の係止面７９Ａ（図３参照）と把手部材７１の裏面７３Ｂとで下係止片５９Ｃを挟みこむことにより、下係止片５９Ｃに係合する。
【００２６】
また、前記上係止部７７が上係止片５７Ｃと係合し、下係止部７９が下係止片５９Ｃと係合した場合には、前記突起８１は座部５１の表面５１Ａ上を移動して、図５に示すように、前記右係止孔６１に係合する。そして、前記リブ部８３Ｂは、前記開口５５の内を移動してその開口５５の図中で左縁５５Ｂに接し、前記リブ部８３Ａは、座部５１の表面５１Ａ上を移動して開口５５の図中で右縁５５Ａに接してその開口５５の内に収まる。
【００２７】
そして、前記突起８１とリブ部８３Ａ，８３Ｂとが、上述の所定の位置に収まると、前記把手部材７１の裏面７３Ｂは、前記座部５１の表面５１Ａに密接する。更に、前記上係止部７７及び下係止部７９と上係止片５７Ｃ及び下係止片５９Ｃとが、互いに係合することにより、前記把手部材７１の裏面７３Ｂは、座部５１の表面５１Ａから離れることが無く、そして、前記突起８１（移動阻止手段）と右係止孔（移動阻止手段）６１との嵌合を外さない限り、把手部材７１の横方向への移動は阻止される。
【００２８】
本実施例では、把手部材７１は、上係止部７７を上係止孔５７に、下係止部７９を下係止孔５９にそれぞれ嵌め込んだ後、横に移動させることによって、側板２１に設けられた座部５１に取り付ける構造であるため、下係止部７９を従来構成品よりも大きく形成することができ、また、前記把手部材７１は、突起８１が右係止孔６１に係合すると共に、前記リブ部８３Ａ，８３Ｂが開口５５の内側に収まるため、前記突起８１を右係止孔６１から、また、前記リブ部８３Ａ，８３Ｂを開口５５から外さない限り、把手部材７１を側板２１の座部５１から取り外すことができない。これらの構成により、前記把手部材７１は、座部５１との係合状態を十分に確保することができ、把手部材７１が座部５１と係合した後は、把手部材７１の横方向への移動を阻止することができて、把手部材７１の取り付けを強固と成すことができる。
【００２９】
以上、一実施例に基づいて本発明を説明したが、本発明はこれに限定されるものではなく、種々変更が可能である。また、本発明は室外ユニットのみならず、例えば、酸素濃縮器、パワーコンディショナー、加湿器、ファンヒーター等の筐体に把手部材を有する、載置型ユニットについても適用が可能である。
【図面の簡単な説明】
【００３０】
【図１】本発明に係る載置型ユニットの一実施例を示す空気調和機の室外ユニットの分解斜視図である。
【図２】（Ａ）は本発明の一実施例における側板を示す斜視図であり、（Ｂ）は把手部材を示す斜視図である。
【図３】本発明の一実施例における側板に設けられた座部と把手部材との係合状態を示す側面図である。
【図４】本発明の一実施例における把手部材を示す背面図である。
【図５】本発明の一実施例における側板に設けられた座部と把手部材とを嵌めて把手部材を移動した後の状態を示す正面図である。
【図６】本発明の一実施例における側板に設けられた座部と把手部材とを嵌めて把手部材を移動する前の状態を示す正面図である。
【図７】従来の構成の側板と把手部材の係合状態を示す側面図である。
【符号の説明】
【００３１】
１    室外ユニット
２１    側板
５１    座部
５５    開口
５７    上係止孔
５７Ｃ  係止片
５９    下係止孔
５９Ｃ  係止片
６１    右係止孔（移動阻止手段）（孔）
７１    把手部材
７５    手掛け部
７７    上係止部
７９    下係止部
８１    突起（移動阻止手段）
８３Ａ  リブ部
８３Ｂ  リブ部
１００    筐体
【図１】
2004245408.tif 000003
【図２】
2004245408.tif 000004
【図３】
2004245408.tif 000005
【図４】
2004245408.tif 000006
【図５】
2004245408.tif 000007
【図６】
2004245408.tif 000008
【図７】
2004245408.tif 000009